(57)【要約】【課題】機器の状態が開閉どちらとも判定できなくなった場合に、機器状態を早急に正常状態に戻すことができる制御装置を提供することである。【解決手段】制御連動処理部１２は、状態監視処理部１３により不一致記憶部１９に開閉不一致となった機器１４が記憶されたときは、当該機器１４に対し制御指令記憶部１８に記憶されている入切制御指令とは逆の入切制御指令を出力する。これにより、機器１４が制御不応動により機器状態が開閉どちらとも判定できなくなった場合に機器状態を正常に戻す。【選択図】　図１
2004096926.tif 000002
【特許請求の範囲】
【請求項１】
機器への入切制御指令を上位装置から入力し当該機器に入切制御指令を出力する制御連動処理部と、前記制御連動処理部が前記機器に出力した入切制御指令を記憶する制御指令記憶部と、前記制御連動処理部からの入切制御指令に基づいて入切制御された機器の開閉状態を判定しその判定結果を表示出力する状態監視処理部と、前記状態監視処理部が前記機器の開閉状態の識別ができない開閉不一致を検出したときはその開閉不一致の機器を記憶する不一致記憶部とを備え、前記制御連動処理部は、前記不一致記憶部に開閉不一致となった機器が記憶されたときは、当該機器に対し前記制御指令記憶部に記憶されている入切制御指令とは逆の入切制御指令を出力することを特徴とする制御装置。
【発明の詳細な説明】
【０００１】
【発明の属する技術分野】
本発明は、例えば電力系統に設置される被制御所の機器を入切制御する制御装置に関するものである。
【０００２】
【従来の技術】
電力系統には変電所や開閉所等の電気所が設置されている。電気所には遮断器や断路器等の開閉器が設置され、また、入切制御指令により動作する電気機器が設置されている。これら機器に対して上位装置より入切制御指令を出力し機器を制御するようになっている。例えば、負荷に電源の供給が必要なときには開閉器を投入し、負荷に電源を供給しないときは開放するようにしている。通常、機器の投入や開放にはプログラマブルコントローラ等の制御装置から入切制御指令を出力するようにしている。
【０００３】
図４は従来の制御装置のブロック構成図であり、制御装置１１は制御連動処理部１２と状態監視処理部１３とを備えている。制御連動処理部１２は機器１４への入切制御指令（入制御指令Ａ１、切制御指令Ｂ１）を上位装置１５から入力し、当該機器１４にその入制御指令Ａ１または切制御指令Ｂ１を出力する。すなわち、制御連動制御部１２は、上位装置１５から入制御指令Ａ１または切制御指令Ｂ１の入力があった場合、機器１４へ入制御指令Ａ１または切制御指令Ｂ１を出力して機器１４の投入や開放を行っている。
【０００４】
一方、状態監視処理部１３は制御連動処理部１２からの入切制御指令Ａ１、Ｂ１に基づいて入切制御された機器１４の開閉状態Ａ２、Ｂ２を判定し、その判定結果を状態表示部１６に表示出力する。すなわち、状態監視処理部１３は、機器１４の接点の開閉状態Ａ２、Ｂ２を取込み、機器１４の状態を判断し表示部１６に状態表示出力を出力する。さらに、状態監視処理部１３では機器１４の開閉不一致検出を行っており、開閉信号のどちらも入力がない場合、もしくは開閉信号の双方の入力が有る場合には、機器１４の状態監視不能として異常表示出力を異常表示部１７に出力している。機器の入切制御時に制御不応動により機器状態の開閉不一致が検出されときには、保守員が現地に出向き復旧作業を行っている。
【０００５】
【発明が解決しようとする課題】
ところが、保守員が現地に出向くまでは復旧作業が行われないので、機器状態が開閉どちらとも判定できなくなった異常状態を継続したままの状態となる。開閉状態がいずれの状態であるのかが判定できないと、別の機器を操作することができず、系統の運用も適切に行えない。少なくとも早急に機器の正常状態に戻す必要がある。
【０００６】
本発明の目的は、機器の状態が開閉どちらとも判定できなくなった場合に、機器状態を早急に正常状態に戻すことができる制御装置を提供することである。
【０００７】
【課題を解決するための手段】
請求項１の発明に係る制御装置は、機器への入切制御指令を上位装置から入力し当該機器に入切制御指令を出力する制御連動処理部と、前記制御連動処理部が前記機器に出力した入切制御指令を記憶する制御指令記憶部と、前記制御連動処理部からの入切制御指令に基づいて入切制御された機器の開閉状態を判定しその判定結果を表示出力する状態監視処理部と、前記状態監視処理部が前記機器の開閉状態の識別ができない開閉不一致を検出したときはその開閉不一致の機器を記憶する不一致記憶部とを備え、前記制御連動処理部は、前記不一致記憶部に開閉不一致となった機器が記憶されたときは、当該機器に対し前記制御指令記憶部に記憶されている入切制御指令とは逆の入切制御指令を出力することを特徴とする。
【０００８】
請求項１の発明に係る制御装置においては、制御連動処理部は、状態監視処理部により不一致記憶部に開閉不一致となった機器が記憶されたときは、当該機器に対し制御指令記憶部に記憶されている入切制御指令とは逆の入切制御指令を出力する。これにより、機器が制御不応動により機器状態が開閉どちらとも判定できなくなった場合に機器状態を正常に戻す。
【０００９】
【発明の実施の形態】
以下、本発明の実施の形態を説明する。図１は本発明の実施の形態に係る制御装置のブロック構成図である。制御装置１１の制御連動処理部１２は、機器１４への入制御指令Ａ１または切制御指令Ｂ１を上位装置１５から入力し、当該機器１４にその入制御指令Ａ１または切制御指令Ｂ１を出力する。この場合、制御連動処理部１２は、機器１４に対して出力した制御指令が入制御指令であるか切制御指令であるかを制御指令記憶部１８に記憶する。すなわち、制御連動制御部１２は、上位装置１５から入制御指令Ａ１または切制御指令Ｂ１の入力があった場合、機器１４へ入制御指令Ａ１または切制御指令Ｂ１を出力して機器１４の投入や開放を行うと共に、入制御指令Ａ１または切制御指令Ｂ１を制御指令記憶部１８に記憶する。
【００１０】
一方、状態監視処理部１３は制御連動処理部１２からの入切制御指令Ａ１、Ｂ１に基づいて入切制御された機器１４の開閉状態Ａ２、Ｂ２を入力し、機器１４の状態を判断する。入制御指令に対する閉状態Ｂ２、切制御指令に対する開状態Ａ２を判定し、その判定結果を表示部１６に表示出力する。
【００１１】
さらに、状態監視処理部１３では機器１４の開閉不一致検出を行う。つまり、機器１４の開閉信号のどちらも入力がない場合、もしくは開閉信号の双方の入力が有る場合には、機器１４の状態監視不能として異常表示出力を異常表示部１７に出力すると共に、不一致記憶部１９にその機器を記憶する。通常、機器１４は開閉のいずれかの状態であるので、開閉のいずれでもない状態は異常状態である。同様に、開状態かつ閉状態という状態はないので、その場合も異常状態である。従って、そのような状態の場合には異常表示出力を異常表示部１７に出力する。
【００１２】
そして、制御連動処理部１２は、状態監視処理部１３により不一致記憶部１９に開閉不一致となった機器１４が記憶されたときは、当該機器１４に対し制御指令記憶部１８に記憶されている入切制御指令とは逆の入切制御指令を出力する。これにより、機器１４が制御不応動により機器状態が開閉どちらとも判定できなくなった場合に機器状態を正常に戻すようにしている。
【００１３】
図２は、本発明の実施の形態における制御連動処理部１２の処理内容を示すフローチャートである。まず入切制御指令の入力データを読み込み（Ｓ１）、読み込んだ入力データに入制御指令２が有るか否かを判断する（Ｓ２）。判断した結果、入制御指令Ａ１が有る場合はその入制御指令を制御指令記憶部１８に記憶し（Ｓ３）、機器１４へ入制御指令Ａ１を出力する（Ｓ４）。
【００１４】
ステップＳ２の判定で、読み込んだ入切制御指令の入力データに入制御指令Ａ１がない場合には、切制御指令Ｂ１が有るか否かを判断し（Ｓ５）、判断した結果、切制御指令Ｂ１がある場合は切制御指令Ｂ１を記憶し（Ｓ６）、機器１４へ切制御指令Ｂ１を出力する（Ｓ７）。
【００１５】
次に、制御連動処理部１２は不一致記憶部１９に記憶された開閉不一致となった機器１４があるか否かを判定し（Ｓ８）、開閉不一致となった機器１４がない場合には処理を終了する。一方、開閉不一致ありの場合には、制御指令記憶部１８を参照し、その機器１４への制御指令として入制御指令があるか否かを判定する（Ｓ９）。そして、入制御指令がある場合には切制御指令Ｂ１を出力する（Ｓ１０）。一方、ステップＳ９の判定で入制御指令がないと判定されたときは、さらに切制御指令があるか否かを判断し（Ｓ１１）、切制御指令がない場合には処理を終了し、切制御指令がある場合には入制御指令Ａ１を出力する（Ｓ１２）。
【００１６】
このように、入制御指令Ａ１で制御不応動となり機器状態が開閉どちらとも判定できなくなった場合には切制御指令Ｂ１を出力し、切制御指令Ｂ１で不応動となり機器状態が開閉どちらとも判定できなくなった場合には、入制御指令Ａ１を出力し、制御指令記憶部１８に記憶されている制御指令とは逆の制御指令を与えて機器状態を正常に戻す。
【００１７】
これにより、機器１４は制御装置１１から入制御指令に対しての不応動においては切制御指令Ｂ１を、切制御指令に対しての不応動においては入制御指令Ａ１を受けることにより正常状態に復帰できる。従って、正常な状態で別の機器を操作することができるので、系統の運用が適切に行える。なお、異常を呈した機器は現地に保守員を派遣して点検することになる。
【００１８】
図３は、本発明の実施の形態における状態監視処理部１３の処理内容を示すフローチャートである。制御装置１１の状態監視処理部１３では、まず、機器１４の接点の開閉状態Ａ２、Ｂ２を状態入力データとして読み込み（Ｓ２１）、その読み込んだ状態入力において、閉状態か否かを判定し（Ｓ２２）、閉状態であるときは閉状態を出力し表示部１６にその旨を表示する（Ｓ２３）。一方、閉状態でないときは開状態であるか否かを判定し（Ｓ２４）、開状態であるときは開状態を出力しその旨を表示部１６に表示する（Ｓ２５）。
【００１９】
そして、開閉不一致有りか否かを判定する（Ｓ２６）。開閉不一致の判定は、閉状態でもなく開状態でもない状態であるか否か、閉状態でかつ開状態であるか否かを判定する。開閉不一致有りの場合には開閉不一致となった機器を不一致異常として不一致記憶部１９に記憶しその旨を異常表示部１７に表示する（Ｓ２７）。一方、開閉不一致でない場合には、機器１４の開閉不一致が復帰したと判断し、その機器の不一致異常が不一致記憶部１９に記憶されている場合にはその不一致異常を解除し異常表示部１７への異常表示も解除する（Ｓ２８）。これにより、機器１４の異常表示は出力されなくなる。
【００２０】
また、状態監視処理部１３では、機器１４が正常に動作したか否かを判断し（Ｓ２９）、正常に動作したと判断したときは、制御指令記憶部１８に記憶されている入制御指令を解除し（Ｓ３０）、また切制御指令を解除する（Ｓ３１）。
【００２１】
これにより、機器１４は制御装置１１の制御連動処理部１２からの入制御指令Ａ１にて投入され、切制御指令Ｂ１により開放される。また、制御装置１１の状態監視処理部１３により、機器１４の接点の開閉状態Ａ２、Ｂ２を読み込み機器１４の開閉状態の不一致異常が判定され、不一致異常である場合には不一致記憶部１９に記憶される。そして、開閉不一致である場合には、制御連動処理部１２は不一致記憶部１９に記憶された制御指令とは逆の制御指令を与えて機器１４を動作させ機器状態を正常に戻すので、正常状態に復帰できる。従って、正常な状態で別の機器を操作することができる。
【００２２】
【発明の効果】
以上述べたように、本発明によれば、入制御指令または切制御指令を出力して制御不応動となり機器の状態が開閉どちらとも判定できなくなった場合に、その入制御指令または切制御指令とは逆の制御指令を与えて動作させるので、機器状態を直前の正常状態に戻すことができ、速やかに機器の復旧を自動的に行うことができる。
【図面の簡単な説明】
【図１】本発明の実施の形態に係る制御装置のブロック構成図。
【図２】本発明の実施の形態における制御連動処理部１２の処理内容を示すフローチャート。
【図３】本発明の実施の形態における状態監視処理部１３の処理内容を示すフローチャート。
【図４】従来例における制御装置のブロック構成図。
【符号の説明】
１１…制御装置、１２…制御連動処理部、１３…状態監視処理部、１４…機器、１５…上位装置、１６…表示部、１７…異常表示部、１８…制御指令記憶部、１９…不一致記憶部、２０…、２１…
【図１】
2004096926.tif 000003
【図２】
2004096926.tif 000004
【図３】
2004096926.tif 000005
【図４】
2004096926.tif 000006